(57)【要約】本発明は、インテリジェント医療機器バリア装置に関しており、前記バリア装置は、カバー部が所定の位置に適正に配置されているかの有無を決定し、かつ、バリア装置の使い捨てを保証するためのセンサ手段を含んでいる。前記センサ手段は、医療機器を使用する際に、読み取りの１つのセットを実施することを許容する。前記センサ手段は、ロット番号、シリアル番号、あるいは校正データを、医療機器に提供することが可能である。前記医療機器バリア装置の使用後、前記センサ手段は、次処置のための前記バリア装置の再利用を妨げる。
2006506128.tif 000002
【特許請求の範囲】
【請求項１】
医療機器に装着されるように適合されたカバー部、および、
前記カバー部を、前記医療機器に装着し、前記医療機器の適正な所定の位置に配置されているかを検知するためのセンサ手段を有しており、前記医療機器は、前記カバー部が前記医療機器の適正な所定の位置に配置されていることの決定の後において、起動されるよう適合されている
ことを特徴とするインテリジェント医療機器バリア装置。
【請求項２】
前記センサ手段は、前記カバー部のために識別を提供し、前記センサ手段は、前記カバー部に連結されており、前記インテリジェント手段および起動手段を、さらに有し、
前記インテリジェント手段は、前記センサ手段からの前記識別を受信し、前記カバー部が使用済みでないかどうかを、前記識別から決定し、
前記起動手段は、前記医療機器を作動させるためのものであり、前記医療機器に連結されており、前記起動手段は、前記カバー部が使用済みでないと決定される場合、前記医療機器を起動するように適合されている
こと特徴とする請求項１に記載のインテリジェント医療機器バリア装置。
【請求項３】
前記カバー部を、前記医療機器に固定するための保持手段を、さらに有することを特徴とする請求項１に記載のインテリジェント医療機器バリア装置。
【請求項４】
前記保持手段は、前記カバー部に連結され、前記センサ手段は、前記保持手段によって、前記カバー部に連結されることを特徴とする請求項３に記載のインテリジェント医療機器バリア装置。
【請求項５】
前記保持手段が前記医療機器に固定される際に、前記センサ手段は、起動されることを特徴とする請求項３に記載のインテリジェント医療機器バリア装置。
【請求項６】
前記保持手段は、窪み部、タブ、スナップキャッチ、フックあるいはリングであることを特徴とする請求項３に記載のインテリジェント医療機器バリア装置。
【請求項７】
前記保持手段は、前記医療機器上の鋸歯状部（ｉｎｄｅｎｔａｔｉｏｎ）あるいは突出部と連結する窪み部であることを特徴とする請求項３に記載のインテリジェント医療機器バリア装置。
【請求項８】
前記保持手段は、前記医療機器の所定の位置に、挿入、スナップ嵌めあるいは捻り入れされることを特徴とする請求項３に記載のインテリジェント医療機器バリア装置。
【請求項９】
前記識別は、ロット番号、シリアル番号および色からなるグループから選択されることを特徴とする請求項２に記載のインテリジェント医療機器バリア装置。
【請求項１０】
前記センサ手段は、前記カバー部のための有効期限を提供し、また、前記センサ手段に連結されるインテリジェント手段と、起動手段とを、さらに有しており、前記インテリジェント手段は、前記センサ手段からの前記有効期限を受信し、前記有効期限に基づいて、前記カバー部の期限が切れていないかを決定し、
前記起動手段は、前記医療機器に連結され、前記医療機器を作動させるように適合されており、かつ、前記起動手段は、前記カバー部の期限が切れていないと決定された場合、前記医療機器を作動させることを特徴とする請求項１に記載のインテリジェント医療機器バリア装置。
【請求項１１】
前記センサ手段は、前記インテリジェント手段に送信される校正データを、さらに含んでいることを特徴とする請求項２に記載のインテリジェント医療機器バリア装置。
【請求項１２】
前記医療機器の使用に係る情報を、受信するため第２センサ手段を、さらに有することを特徴とする請求項２に記載のインテリジェント医療機器バリア装置。
【請求項１３】
前記インテリジェント手段は、電子ユニットを有し、前記識別は、リンクを経由し、前記選択ユニットへ送信されることを特徴とする請求項２に記載のインテリジェント医療機器バリア装置。
【請求項１４】
前記リンクは、無線リンク、光リンクおよび電気的接続からなるグループから選択されることを特徴とする請求項１３に記載のインテリジェント医療機器バリア装置。
【請求項１５】
前記センサ手段は、無線周波数（ＲＦＩＤ）タグ、ＲＦＩＤダイレクト接続、ＥＥＰＲＯＭ、電気的フューズ、インクあるいはバーコードによって、前記識別を提供することを特徴とする請求項２に記載のインテリジェント医療機器バリア装置。
【請求項１６】
前記識別は、インクの形態であり、前記インクの状態は、加熱、温度あるいは所定強度の波長に対して曝露されることで変化し、前記インテリジェント手段は、前記インクの前記状態を検出するための光学的インタラップ装置（ｉｎｔｅｒｒｕｐｔｅｒ）を含んでいることを特徴とする請求項２に記載のインテリジェント医療機器バリア装置。
【請求項１７】
前記識別は、バーコードの形態であり、前記インテリジェント手段は、前記バーコードを読み込むためのバーコードリーダを含んでいることを特徴とする請求項２に記載のインテリジェント医療機器バリア装置。
【請求項１８】
前記カバー部は、前記カバー部の厚さ縮小部位に取り付けられるプルタブを含んでおり、前記医療機器から前記カバー部を取り外すために、前記プルタブを使用することで、前記プルタブは引き裂かれ、前記カバー部は、再利用が不可能となることを特徴とする請求項１に記載のインテリジェント医療機器バリア装置。
【請求項１９】
前記センサ手段は、前記医療機器と連結する作動スイッチを有し、前記カバー部は、つば部を含んでおり、前記つば部が所定の位置に配置される場合、前記つば部は、前記作動スイッチと接触することを特徴とする請求項１に記載のインテリジェント医療機器バリア装置。
【請求項２０】
前記つば部は、小部品部（ｄｅｔａｉｌ）を有し、前記医療機器は、堤部を有し、前記小部品部は、前記堤部に嵌合され、前記医療機器の所定の位置に、前記つば部がスナップ嵌めされることを特徴とする請求項１９に記載のインテリジェント医療機器バリア装置。
【請求項２１】
前記つば部は、前記作動スイッチと接触するための突出部を、さらに有することを特徴とする請求項２０に記載のインテリジェント医療機器バリア装置。
【請求項２２】
前記つば部は、硬質プラスチック材料から形成されることを特徴とする請求項１に記載のインテリジェント医療機器バリア装置。
【請求項２３】
前記カバー部は、ポリウレタン、テルファレート（ｔｅｒｐｈａｌａｔｅ）ポリエチレン、およびシリコーンからなるグループから選択される材料から形成されることを特徴とする請求項１に記載のインテリジェント医療機器バリア装置。
【請求項２４】
前記医療機器は、プローブであることを特徴とする請求項１に記載のインテリジェント医療機器バリア装置。
【請求項２５】
医療機器を使用する方法であって、
カバー部を、前記医療機器に装着するステップ、
前記カバー部が、前記医療機器に装着され、前記医療機器の適正な所定の位置に配置されていることを検知するステップ、および、
前記カバー部が、前記医療機器の適正な所定の位置に配置されていることの決定の後において、前記医療機器を起動するステップ
を有することを特徴とする医療機器を使用する方法。
【請求項２６】
前記起動するステップは、前記カバー部が使用済みでないことを決定するステップ、および、前記カバー部が使用済みでないと決定される場合、前記医療機器の作動を停止するステップを、さらに有することを特徴とする請求項２５に記載の方法。
【請求項２７】
前記決定するステップは、前記検知するステップにおける識別を、センサからインテリジェント手段に対して提供すること、および、前記識別に基づいて、前記カバー部が使用済みでないことを決定することを含んでいることを特徴とする請求項２２に記載の特徴とする方法。
【請求項２８】
前記識別は、ロット番号、シリアル番号および色からなるグループから選択されることを特徴とする請求項２７に記載の方法。
【請求項２９】
医療機器を使用する方法であって、
カバー部を、前記医療機器に装着するステップ、
前記カバー部が使用済みでないことを決定するステップ、および、
前記カバー部が使用済みでない場合、前記医療機器を起動するステップ
を有することを特徴とする医療機器を使用する方法。
【請求項３０】
前記決定するステップは、前記検知するステップにおける識別を、センサからインテリジェント手段に対して提供すること、および、前記識別に基づいて、前記カバー部が使用済みでないことを決定することを含んでいることを特徴とする請求項２９に記載の方法。
【発明の詳細な説明】
【技術分野】
【０００１】
本発明は、インテリジェント医療機器バリア装置に関する。
【背景技術】
【０００２】
関連出願の説明
本出願は、２００２年１１月１２日に出願された暫定米国特許出願第６０／４２５７８４号の利益を請求しており、その全体は、これによって、参照されることで、本出願に組み入れられる。
【０００３】
本発明の背景
１．本発明の技術分野
本発明は、インテリジェント医療機器バリア装置に関し、バリア装置が医療機器に正確に取付けられた時を検出し、それによって、バリア装置の適正使用および使い捨て（１回使用）を保障する。
【０００４】
２．関連技術の説明
多様な医療機器が、医学的処置において、使用されている。医療機器が再利用できる場合、デバイスの清潔性を保証することは、好ましい。医療機器を殺菌するための従来の方法は、加熱、洗浄、および、使用の際における医療機器の被覆を含んでいる。
【０００５】
米国特許第６１４２９５９号は、薄い弾性保護フィルムを利用し、使用の際において、プローブヘッドおよびシャフトをカバーすることを記述している。薄い弾性カバー部は、固定リングによってハンドルに保持される。薄い弾性カバー部は、プローブから除去され、廃棄することが可能である。その後、新規な薄い弾性カバー部が、次使用の前に、シャフト上に配置されることで、前立腺検査における改良された衛生管理を提供することが、可能である。
【０００６】
米国特許第第６５８２３６８号は、非伝導性材料の本体から形成される医療機器用シースを記述している。圧電コポリマー変換器は、シース本体によって、医療機器に対して密着して保持される。シース本体は、熱に曝される場合に縮小するポリテトラフルオロエチレン等のシュリンクチューブから構成することが可能である。使用後、シースは、医療機器から除去され、廃棄される。そして、医療機器は、他のシースと結合あるいは単独で使用される。シースは、また、使い捨て医療機器と結合して使用することが可能であり、処置終了後において、シースおよび医療機器は、廃棄される。しかし、出願人が認識している範囲の従来技術は、単一の処置のために弾性カバー部を使用することを保証する機構を、提供していない。
【０００７】
したがって、医療機器と通信し、バリア装置の使い捨てを保証する医療機器バリア装置を提供することは、好ましい。
【発明の開示】
【０００８】
本発明の要約
本発明は、インテリジェント医療機器バリア装置に関しており、前記バリア装置は、カバー部が所定の位置に適正に配置されているかの有無を決定し、かつ、バリア装置の使い捨てを保証するためのセンサ手段を含んでいる。センサ手段は、医療機器を使用する際に、読み取りの１つのセットを実施することを許容する。センサ手段は、ロット番号、シリアル番号、あるいは校正データを、医療機器に提供することが可能である。医療機器バリア装置の使用後、センサ手段は、次処置のためのバリア装置の再利用を妨げる。医療機器バリア装置は、組織と接触する医療機器の全表面を、カバーし、ウイルス性あるいは細菌性の伝染を妨げる。例えば、プローブデバイスにおいて、バリア装置は、プローブシャフトとプローブセンサ領域をカバーし、プローブと患者組織とが接触することを妨げる。本発明は、以下の図面を参照することによって、より詳細に説明される。
【発明を実施するための最良の形態】
【０００９】
図面の簡単な説明
図１Ａは、本発明の教示に従って、プローブに取り付けられたインテリジェント医療機器バリア装置の斜視図である。
【００１０】
図１Ｂは、図１Ａに示されるインテリジェント医療機器バリア装置とプローブの断面図である。
【００１１】
図２Ａは、別のインテリジェント医療機器バリア装置の斜視図である。
【００１２】
図２Ｂは、図２Ａの線Ａ−Ａに関する断面図である。
【００１３】
図２Ｃは、図２Ａの線Ｂ−Ｂに関する断面図である。
【００１４】
図２Ｄは、図２Ａの線Ｃ−Ｃに関する断面図である。
【００１５】
図３Ａは、プローブに取り付けられたインテリジェント医療機器バリア装置の別の実施の形態の斜視図であるである。
【００１６】
図３Ｂは、図３Ａに示されるインテリジェント医療機器バリア装置と共に使用されるプローブハンドルの平面図である。
【００１７】
図３Ｃは、図３Ｂに示されるプローブハンドルの側面図である。
【００１８】
図３Ｄは、医療機器バリア装置を装着されるプローブハンドルの断面図である。
【００１９】
図３Ｅは、図３Ｂに示されるプローブハンドルの底面図である。
【００２０】
詳細な説明
次に、本発明の好ましい実施の形態に関し、更に詳細に参照され、その一例が、添付の図面において説明される。可能な場合は、同じ参照番号が、図面の全体に渡って使用され、また、その説明が、同一あるいは類似部品を参照する。
【００２１】
図１Ａおよび図１Ｂは、本発明の教示に従う、インテリジェント医療機器バリア装置１０の実施の形態の概略図である。カバー部１２は、プローブ１１のプローブヘッド１３およびプローブハンドル１４の形状と類似するように形成される。カバー部１２は、先端８およびプローブヘッド１３を覆って装着され、プローブヘッド１３のシャフト９を覆って、引っ張り上げ、あるいは捲り上げることで、プローブ１１に対するバリアとして使用される。カバー部１２は、プローブハンドル１４の部位７を覆って装着されることが可能であり、シャフト９がカバー部１２によって、完全に被覆されることを、保証する。例えば、プローブ１１は、米国特許第６１４２９５９号において説明される前立腺の検査のために使用されるプローブであり、これによって、参照されることで、本出願に組み入れられる。
【００２２】
保持手段１５は、プローブハンドル１４の所定の位置に、カバー部１２を確実に固定する。例えば、保持手段１５は、窪み部、タブ、スナップキャッチ、フックあるいはリングとすることが可能であり、プローブハンドル１４の所定の位置に挿入、スナップ嵌め、あるいは、捻り入れされて、カバー部１２をプローブハンドル１４と連結する。保持手段１５は、プローブヘッド１３に対するカバー部１２の迅速な取付けを、提供する。例えば、カバー部１２は、約１０秒未満において、プローブヘッド１３およびプローブハンドル１４に取付けあるいは取外しすることが可能である。保持手段１５は、カバー部１２に連結することが可能である。あるいは、例えば、リングからなる保持手段１５を、カバー部１２を覆うように配置し、プローブハンドル１４に対してカバー部１２を押圧することも可能である。
【００２３】
１つ以上のセンサ１６を、ハンドル１４、保持手段１５あるいはカバー部１２における１つ以上の所定の位置に取付けることで、カバー部１２が、プローブヘッド１３の適正な所定の位置に配置されているか否かを検知することが可能である。図２Ａに示される実施の形態において、センサ１６は、保持手段１５に連結されており、保持手段１５は、カバー部に取付けられている。例えば、窪み部からなる保持手段１５は、プローブハンドル１４における鋸歯状部（ｉｎｄｅｎｔａｔｉｏｎ）あるいは突起に連結される。保持手段１５と係合するプローブハンドル１４上において、センサ１６が起動され、カバー部１２がプローブハンドル１４の所定の位置に配置されていることを指示する。カバー部１２が、プローブヘッド１３の適正な所定の位置に配置されていると、決定される場合、プローブ１１を起動させ、検査のために使用可能とすることができる。
【００２４】
センサ１６は、識別等のデータを提供する。識別は、カバー部１２のためのロット番号あるいはシリアル番号を含むことが可能である。あるいは、識別を、カバー部１２が使用済みである場合に、異なる色を示す等のセンサ１６の異なる状態と、することも可能である。センサ１６からデータは、リンク１９を経由し、電子ユニット２０に送信される。電子ユニット２０は、カバー部１２が使用済みであるかを、識別に基づいて決定する。カバー部１２が未使用であると決定される場合、電子ユニット２０は、プローブ１１を起動させ、検査のために使用可能にするように、適合されている。カバー部１２が使用済みであると決定される場合、電子ユニット２０は、プローブ１１の作動を停止させ、検査のためのその使用を妨げる。
【００２５】
センサ１６は、また、リンク１９を経由して、貯蔵寿命と共に製造日付などの有効期限を提供することが可能である。カバー部１２の期限が切れたと決定される場合、電子ユニット２０は、プローブ１１の作動を停止させ、検査におけるその使用を妨げる。センサ１６は、また、プローブヘッド１３の操作のために、プローブ１１に、校正データを提供することが可能である。
【００２６】
１つ以上のセンサ１７が、プローブ１１の使用の際に、情報を受信する。センサ１７は、カバー部１２の任意の位置に連結することが可能である。センサ１７は、保持手段１５あるいはプローブハンドル１４と連結することも可能である。センサ１７は、プローブハンドル１４を介し、リンク１９を経由し、電子ユニット２０と連結することが可能である。センサ１７からのプローブ１１の取得データは、リンク１９を経由し、電子ユニット２０へ送信することが可能である。
【００２７】
センサ１６は、集積回路とすることが可能である。電子ユニット２０は、プロセッサ、表示装置、記憶ユニット、および中央ユニットを含むことが可能である。一例において、電子ユニット２０は、パーソナルコンピュータとすることが可能である。電子ユニット２０は、プローブハンドル１４に装着されることも可能である。本実施の形態における電子ユニット２０は、プロセッサおよび記憶ユニットを有する。プローブハンドル１４の電子ユニット２０において記憶されるデータは、その後において、パーソナルコンピュータ等のリモート演算装置に、アップロードすることが可能である。
【００２８】
センサ１７の一例は、例えば、テクスカム（Ｔｅｋｓｃａｎ）あるいはヴィスタムド（Ｖｉｓｔａｍｅｄ）によって製造されるレスティブ（ｒｅｓｔｉｖｅ）パッドセンサ、例えば、ＰＰＳによって製造されるフォースセンシティブレジスタパッド（ｆｏｒｃｅ  ｓｅｎｓｉｔｉｖｅ  ｒｅｇｉｓｔｅｒ  ｐａｄ）、ひずみゲージ、あるいはＭＥＭＳ圧力ダイを含んでいる。例えば、リンク１９は、無線リンク、光リンクあるいは直接的な電気的接続とすることが可能である。センサ１６およびセンサ１７の電子符号化は、無線周波数（ＲＦＩＤ）タグ、ＲＦＩＤダイレクト接続、ＥＥＰＲＯＭ、電気的フューズ、インクおよびバーコードによって、実行することが可能である。例えば、ＲＦＩＤタグあるいはＲＦＩＤダイレクト接続の使用において、リード／ライト集積回路は、プローブハンドル１４におけるセンサ１６および／又はセンサ１７において、使用される。ＲＦＩＤタグにおいて、センサ１６あるいはセンサ１７は、無線リンクを経由し、プローブハンドル１４と通信する。ＲＦＩＤダイレクト接続において、センサ１６あるいはセンサ１７は、ダイレクトリンクを経由し、プローブハンドル１４と通信する。ＥＥＰＲＯＭにおいて、複数の電気的接触が使用され、センサ１６あるいはセンサ１７と、プローブハンドル１４との間で通信し、識別番号やシリアル番号などの消去可能データを提供する。あるいは、例えば、４つの電気的接触が、ＥＥＰＲＯＭにおいて使用することが可能である。電気フューズにおいて、カバー部１２とプローブハンドル１４の間で通信するために、電気的接触が使用される。例えば、２つの電気的接触を、電気フューズを形成するために使用することが可能である。例えば、インクの使用においては、インクを、見えなくし、加熱、温度あるいはＵＶに曝露することで、透明から不透明とすることも可能である。光学的インタラップ装置（ｉｎｔｅｒｒｕｐｔｅｒ）を使用し、インク状態の変化を検出することが可能である。したがって、プローブ１１の使用に際し、プローブハンドル１４は、所定の強度の波長を送信し、センサ１６あるいはセンサ１７のインク状態を変更することが可能である。バーコードの場合、センサ１６あるいはセンサ１７のバーコードは、カバー部１２上あるいはカバー部１２のラベル上に書かれる。電子ユニット２０に、バーコードを読み込むためのバーコードリーダを含ませたり、バーコードリーダを、プローブ１１に設置したりすることが可能である。
【００２９】
カバー部１２は、医療機器と類似する形状を有するように形成し、医療機器を保護するためのバリアを、提供することが可能である。例えば、図２Ａに示されるように、カバー部１２は、図２Ｂの線Ａ−Ａ、図２Ｃの線Ｂ−Ｂ、および図２Ｄの線Ｃ−Ｃに関し、多様な断面形状を有することが可能であり、プローブ１１の形状に対応することで、プローブヘッド１３が旋回すことを許容する。
【００３０】
結合手段２１は、保持手段１５およびプローブ１１上のカバー部１２を、保持するために使用することが可能である。例えば、結合手段２１をフックすることが可能である。
【００３１】
一例において、カバー部１２は、引っ張られることで、プローブ１１からカバー部１２を取り外すプルタブ２２を、含むことが可能である。プルタブ２２は、カバー部１２における厚さ縮小部位２４に、取り付けられる。カバー部１２の厚さ縮小部位２４は、プルタブ２２が引っ張られる場合、裂けることが可能である。したがって、プルタブ２２が厚さ縮小部位２４を引き裂いた後において、プローブ１１は、次処置において、再利用が不可能であり、カバー部１２の使い捨てが保証される。
【００３２】
図３Ａ〜図３Ｅは、本発明の教示に従って、インテリジェント医療機器バリア装置の別の実施の形態を例示している。カバー部２９は、図３Ａに示されるように、カバー部２９の結合部位３１において、つば部３０に連結されている。
【００３３】
作動スイッチ３２は、図３Ｂおよび図３Ｃに示されるように、プローブハンドル１４の部位３３の上に、形成される。例えば、部位３３は、つば部３０を収容するために、円形状あるいは楕円状の形状を有することが可能である。つば部３０は、楕円状のプローブハンドル１４に装着される際に、楕円状の形状に変形することが可能な円形状を、有するようにしたり、円形状のプローブハンドル１４に装着され得る円形状を、有するようにしたりすることが可能である。
【００３４】
作動スイッチ３２は、図３Ｄに示されるように、上部３４および接点３５を含んでいる。つば部３０は、つば部３０の端部３８の内面３７上に形成される突出部３６を含んでいる。つば部３０は、つば部３０の端部３８の内面３７上に形成される小部品部（ｄｅｔａｉｌ）４０を有する。プローブハンドル１４は、プローブハンドル１４の部位３３上の堤部４２を含んでいる。操作の間、突出部３６が作動スイッチ３２の上部３４と接触し、かつ小部品部４０が、堤部４２に嵌合し、つば部３０が、プローブハンドル１４の所定の位置でスナップ嵌めされるまで、つば部３０は、プローブハンドル１４の部位３３上をスライドする。作動スイッチ３２の上部３４と突出部３６との接触の際に、接点３５は、接触させられ、作動スイッチ３２を起動させる。作動スイッチ３２の起動は、カバー部２９がプローブ１１の適正な所定の位置に配置されていることを示す。その後において、堤部４２との接触は、図３Ｅに示されるように、つば部３０を開放し、プローブハンドル１４からカバー部２９を取り外すことが可能である。
【００３５】
バーコードラベル４４は、つば部３０に取り付けることが可能である。電子ユニット２０に、バーコード４４を読み込むためのバーコードリーダを含ませたり、バーコードリーダを、プローブ１１に配置したりすることも可能である。あるいは、センサ１６および／又はセンサ１７を、つば部３０に取り付けることも可能である。
【００３６】
カバー部１２とカバー部２９は、生体適合性バリア部材から形成することが可能である。カバー部１２のための適当な材料は、ポリウレタン、テルファレート（ｔｅｒｐｈａｌａｔｅ）ポリエチレン、およびシリコーンを含んでいる。カバー部１２およびカバー部２９は、約０．０００１〜約０．０１５インチの範囲の肉厚を有することが可能である。カバー部１２が、センサ１６あるいはセンサ１７の損傷を妨げるようにデザインされていることは、好ましい。カバー部１２およびカバー部２９は、殺菌することが可能である。カバー部１２およびカバー部２９は、密封かつ滅菌された袋部の中で、パッケージ化することが可能である。
【００３７】
つば部３０は、硬質プラスチック材料から形成することが可能である。カバー部１２、カバー部２９およびつば部３０は、浸漬成形、１または２ショット射出成形、あるいは液体射出成形によって、形成することが可能である。
【００３８】
別の実施の形態において、カバー部１２あるいはカバー部２９は、例えば、カテーテル、内視鏡あるいは超音波デバイス等の任意の医療機器と互換性を持つ形状を有することが可能である。センサ１６、センサ１７あるいは作動スイッチ３２は、所望の医療機器と相互作用するようにデザインすることが可能である。
【００３９】
別の実施の形態において、プローブ１１を伴う、異なるカバー部１２あるいはカバー部２９の使用回数に関するデータは、電子ユニット２０によって、収集される。プローブ１１は、収集したデータに基づいて、所定の１つ以上の回数のために、起動される。
【００４０】
上記の実施の形態は、本発明の原理の応用を表すことができる多くの可能な種類の実施の形態に係るほんの僅かな例示に過ぎないことが、理解されるだろう。多数かつ様々な他の構成は、本発明の精神と範囲から逸脱することなく、当業者によって、これらの原理に従って、容易に工夫することが可能である。
【図面の簡単な説明】
【００４１】
【図１Ａ】本発明の教示に従って、プローブに取り付けられたインテリジェント医療機器バリア装置の斜視図である。
【図１Ｂ】図１Ａに示されるインテリジェント医療機器バリア装置とプローブの断面図である。
【図２Ａ】別のインテリジェント医療機器バリア装置の斜視図である。
【図２Ｂ】図２Ａの線Ａ−Ａに関する断面図である。
【図２Ｃ】図２Ａの線Ｂ−Ｂに関する断面図である。
【図２Ｄ】図２Ａの線Ｃ−Ｃに関する断面図である。
【図３Ａ】プローブに取り付けられたインテリジェント医療機器バリア装置の別の実施の形態の斜視図であるである。
【図３Ｂ】図３Ａに示されるインテリジェント医療機器バリア装置と共に使用されるプローブハンドルの平面図である。
【図３Ｃ】図３Ｂに示されるプローブハンドルの側面図である。
【図３Ｄ】医療機器バリア装置を装着されるプローブハンドルの断面図である。
【図３Ｅ】図３Ｂに示されるプローブハンドルの底面図である。
【図１Ａ】
2006506128.tif 000003
【図１Ｂ】
2006506128.tif 000004
【図２Ａ】
2006506128.tif 000005
【図２Ｂ】
2006506128.tif 000006
【図２Ｃ】
2006506128.tif 000007
【図２Ｄ】
2006506128.tif 000008
【図３Ａ】
2006506128.tif 000009
【図３Ｂ】
2006506128.tif 000010
【図３Ｃ】
2006506128.tif 000011
【図３Ｄ】
2006506128.tif 000012
【図３Ｅ】
2006506128.tif 000013
【国際調査報告】
2006506128.tif 000014
2006506128.tif 000015